(57)【要約】【課題】装着されるカバーの種類に依存せずに携帯端末の消費電力を抑制することができる携帯端末を提供する。【解決手段】携帯端末１００は、開口部２１０を有する開閉可能なカバー２００が装着され得る。携帯端末１００は、カバー２００が閉じられている閉状態においてカバー２００に覆われる表示部１０５と、カバー２００の閉状態において、開口部２１０に対応する窓領域１０５Ａの設定操作を表示部１０５の表示領域内で受け付けるための受付部と、カバー２００の閉状態において、表示部１０５における窓領域１０５Ａ以外の非窓領域１０５Ｂの輝度を、窓領域１０５Ａの輝度よりも下げるための表示制御部とを備える。【選択図】図１
2017092557.tif 000002
【特許請求の範囲】
【請求項１】
開口部を有する開閉可能なカバーが装着され得る携帯端末であって、
前記カバーが閉じられている閉状態において前記カバーに覆われる表示部と、
前記閉状態において、前記開口部に対応する第１領域の設定操作を前記表示部の表示領域内で受け付けるための受付部と、
前記閉状態において、前記表示領域内における前記第１領域以外の第２領域の輝度を、前記第１領域の輝度よりも下げるための表示制御部とを備える、携帯端末。
【請求項２】
前記表示制御部は、前記閉状態において、前記第２領域の輝度をゼロにする、請求項１に記載の携帯端末。
【請求項３】
前記携帯端末は、前記カバーが閉じられている前記閉状態を検知するための検知部をさらに備え、
前記受付部は、前記検知部によって前記閉状態が検知されたことに基づいて、前記第１領域の設定操作を受け付ける、請求項１または２に記載の携帯端末。
【請求項４】
前記携帯端末は、前記カバーの開閉回数をカウントするためのカウント部をさらに備え、
前記表示制御部は、
前記開閉回数が予め定められた回数未満である場合には、前記第１領域の設定受付時において前記表示部を点灯し、
前記開閉回数が前記予め定められた回数以上である場合には、前記第１領域の設定受付時において前記表示部を消灯する、請求項１〜３のいずれか１項に記載の携帯端末。
【請求項５】
前記表示制御部は、
前記閉状態が検知されてから予め定められた時間が経過するまでの間における前記第１領域の設定受付時においては前記表示部を点灯し、
前記予め定められた時間の経過後における前記第１領域の設定受付時においては前記表示部を消灯する、請求項１〜４のいずれか１項に記載の携帯端末。
【請求項６】
前記表示制御部は、前記第１領域の設定受付時において前記表示部を消灯する、請求項１〜３のいずれか１項に記載の携帯端末。
【請求項７】
開口部を有する開閉可能なカバーが装着され得る携帯端末の制御方法であって、
前記携帯端末は、前記カバーが閉じられている閉状態において前記カバーに覆われる表示部を備え、
前記制御方法は、
前記閉状態において、前記開口部に対応する第１領域の設定操作を前記表示部の表示領域内で受け付けるステップと、
前記閉状態において、前記表示領域内における前記第１領域以外の第２領域の輝度を、前記第１領域の輝度よりも下げるステップとを備える、制御方法。
【請求項８】
開口部を有する開閉可能なカバーが装着され得る携帯端末の制御プログラムであって、
前記携帯端末は、前記カバーが閉じられている閉状態において前記カバーに覆われる表示部を備え、
前記制御プログラムは、前記携帯端末に、
前記閉状態において、前記開口部に対応する第１領域の設定操作を前記表示部の表示領域内で受け付けるステップと、
前記閉状態において、前記表示領域内における前記第１領域以外の第２領域の輝度を、前記第１領域の輝度よりも下げるステップとを実行させる、制御プログラム。
【発明の詳細な説明】
【技術分野】
【０００１】
本開示は、携帯端末の制御に関し、特に、カバーが装着され得る携帯端末の制御に関する。
【背景技術】
【０００２】
開閉可能なカバーを装着することが可能な携帯端末（たとえば、スマートフォンなど）が普及している。カバーは、閉じられている状態で携帯端末の表示部を覆い、表示部の破損を防止する。
【０００３】
携帯端末のカバーの構造に関し、特開２００４−７２６０１号公報（特許文献１）は、電子機器保護ケースを開示している。特開２０１５−７９５１０号公報（特許文献２）は、タッチスクリーンカバーを開示している。当該電子機器保護ケースおよび当該タッチスクリーンカバーには開口部が形成されており、開口部は、カバーが閉じられた状態で表示部に重ねられる。これにより、カバーが閉じられた状態であっても、ユーザは、開口部における表示内容を確認したり、開口部に対してタッチ操作を行ったりすることができる。
【０００４】
以下では、カバーが携帯端末の表示部を覆っている状態を「閉状態」ともいう。カバーが携帯端末の表示部を覆っていない状態を「開状態」ともいう。閉状態において開口部が表示部を覆う領域を「窓領域」ともいう。携帯端末の表示領域内の領域であって窓領域以外の領域を「非窓領域」ともいう。
【０００５】
カバーの閉状態において、表示部の非窓領域が点灯すると、無駄に電力が消費される。そのため、カバーが閉じられている状態において消費電力を抑制することが可能な携帯端末が望まれている。
【０００６】
特開２０１４−１１９９７４号公報（特許文献３）は、携帯端末のカバーについては開示していないが、表示に要する電力を抑制することが可能な文書閲覧装置を開示している。当該文書閲覧装置は、ユーザから予め指定された領域のみを表示してページを切り替える。
【先行技術文献】
【特許文献】
【０００７】
【特許文献１】特開２００４−７２６０１号公報
【特許文献２】特開２０１５−７９５１０号公報
【特許文献３】特開２０１４−１１９９７４号公報
【発明の概要】
【発明が解決しようとする課題】
【０００８】
近年では、様々な種類のカバーが市場に普及している。カバーにおける開口部の位置は、カバーの種類に応じて変わる。そのため、カバーの種類に依存せずに、消費電力を抑制することが可能な携帯端末が望まれている。
【０００９】
特許文献１および特許文献２は、カバーの構造を開示するものであり、カバーが装着された携帯端末の消費電力を抑制することについては開示していない。特許文献３は、文書閲覧装置の表示の制御方法について開示するものであり、文書閲覧装置に装着され得るカバーについては開示していない。
【００１０】
本開示は上述のような問題点を解決するためになされたものであって、ある局面における目的は、装着されるカバーの種類に依存せずに消費電力を抑制することが可能な携帯端末を提供することである。他の局面における目的は、装着されるカバーの種類に依存せずに消費電力を抑制することが可能な制御方法を提供することである。さらに他の局面における目的は、装着されるカバーの種類に依存せずに消費電力を抑制することが可能な制御プログラムを提供することである。
【課題を解決するための手段】
【００１１】
ある局面に従うと、携帯端末は、開口部を有する開閉可能なカバーが装着され得る。携帯端末は、上記カバーが閉じられている閉状態において上記カバーに覆われる表示部と、上記閉状態において、上記開口部に対応する第１領域の設定操作を上記表示部の表示領域内で受け付けるための受付部と、上記閉状態において、上記表示領域内における上記第１領域以外の第２領域の輝度を、上記第１領域の輝度よりも下げるための表示制御部とを備える。
【００１２】
好ましくは、上記表示制御部は、上記閉状態において、上記第２領域の輝度をゼロにする。
【００１３】
好ましくは、上記携帯端末は、上記カバーが閉じられている上記閉状態を検知するための検知部をさらに備える。上記受付部は、上記検知部によって上記閉状態が検知されたことに基づいて、上記第１領域の設定操作を受け付ける。
【００１４】
好ましくは、上記携帯端末は、上記カバーの開閉回数をカウントするためのカウント部をさらに備える。上記表示制御部は、上記開閉回数が予め定められた回数未満である場合には、上記第１領域の設定受付時において上記表示部を点灯し、上記開閉回数が上記予め定められた回数以上である場合には、上記第１領域の設定受付時において上記表示部を消灯する。
【００１５】
好ましくは、上記表示制御部は、上記閉状態が検知されてから予め定められた時間が経過するまでの間における上記第１領域の設定受付時においては上記表示部を点灯し、上記予め定められた時間の経過後における上記第１領域の設定受付時においては上記表示部を消灯する。
【００１６】
好ましくは、上記表示制御部は、上記第１領域の設定受付時において上記表示部を消灯する。
【００１７】
他の局面に従うと、開口部を有する開閉可能なカバーが装着され得る携帯端末の制御方法が提供される。上記携帯端末は、上記カバーが閉じられている閉状態において上記カバーに覆われる表示部を備える。上記制御方法は、上記閉状態において、上記開口部に対応する第１領域の設定操作を上記表示部の表示領域内で受け付けるステップと、上記閉状態において、上記表示領域内における上記第１領域以外の第２領域の輝度を、上記第１領域の輝度よりも下げるステップとを備える。
【００１８】
さらに他の局面に従うと、開口部を有する開閉可能なカバーが装着され得る携帯端末の制御プログラムが提供される。上記携帯端末は、上記カバーが閉じられている閉状態において上記カバーに覆われる表示部を備える。上記制御プログラムは、上記携帯端末に、上記閉状態において、上記開口部に対応する第１領域の設定操作を上記表示部の表示領域内で受け付けるステップと、上記閉状態において、上記表示領域内における上記第１領域以外の第２領域の輝度を、上記第１領域の輝度よりも下げるステップとを実行させる、制御プログラム。
【発明の効果】
【００１９】
ある局面において、装着されるカバーの種類に依存せずに携帯端末の消費電力を抑制することができる。
【００２０】
本発明の上記および他の目的、特徴、局面および利点は、添付の図面と関連して理解される本発明に関する次の詳細な説明から明らかとなるであろう。
【図面の簡単な説明】
【００２１】
【図１】第１の実施の形態に従う携帯端末に対する窓領域の設定操作の一例を時系列で示す図である。
【図２】第１の実施の形態に従う携帯端末の機能構成の一例を示す図である。
【図３】第１の実施の形態に従う制御処理を示すフローチャートである。
【図４】第１の実施の形態に従う携帯端末の主要なハードウェア構成を示すブロック図である。
【図５】第２の実施の形態に従う携帯端末に対する窓領域の設定操作の一例を時系列で示す図である。
【図６】第２の実施の形態に従う携帯端末の機能構成の一例を示す図である。
【図７】第２の実施の形態における窓領域の設定処理の前処理を示すフローチャートである。
【図８】第２の実施の形態における窓領域の設定処理の本処理を示すフローチャートである。
【図９】第２の実施の形態に従う携帯端末の主要なハードウェア構成を示すブロック図である。
【発明を実施するための形態】
【００２２】
以下、図面を参照しつつ、本実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００２３】
＜第１の実施の形態＞
［窓領域の設定］
図１を参照して、第１の実施の形態に従う携帯端末１００の概要について説明する。図１は、窓領域１０５Ａの設定操作の一例を時系列で示す図である。
【００２４】
図１には、スマートフォンとしての携帯端末１００が示されているが、携帯端末１００は、スマートフォンに限定されない。たとえば、携帯端末１００は、タブレット端末、デジタルカメラ、電子辞書、ＰＤＡ（Personal  Digital  Assistant）、ゲーム機、またはその他の表示部を備える携帯機器であってもよい。
【００２５】
携帯端末１００は、表示部１０５を備える。表示部１０５には、後述するタッチパネル１０６（図４参照）が重ねられており、ユーザは、表示部１０５に対するタッチ操作で携帯端末１００を操作することができる。
【００２６】
携帯端末１００には、カバー２００が装着され得る。カバー２００には、開口部２１０が設けられている。ステップ（Ａ）に示されるように、カバー２００の開状態においては、カバー２００は、表示部１０５を覆わない。
【００２７】
ステップ（Ｂ）において、カバー２００がユーザによって閉じられたとする。カバー２００の閉状態において、カバー２００の開口部２１０は、表示部１０５に重ねられる。その結果、ユーザは、カバー２００を閉じた状態であっても、開口部２１０に対応する表示部分に対してはタッチ操作を行うことができる。
【００２８】
ステップ（Ｃ）において、携帯端末１００は、表示部１０５の表示領域内で窓領域１０５Ａの設定操作を受け付ける。窓領域１０５Ａの設定は、たとえば、表示部１０５の表示領域が消灯された状態で受け付けられる。すなわち、携帯端末１００は、窓領域１０５Ａの設定受付時において表示部１０５を消灯する。これにより、窓領域１０５Ａの設定時における表示電力が抑制される。
【００２９】
ある局面において、ユーザは、開口部２１０における表示領域を指でなぞる操作により窓領域１０５Ａを設定する。他の局面において、ユーザは、開口部２１０における表示領域に対して、ピンチインまたはピンチアウトなどの操作を行うことにより窓領域１０５Ａを設定する。携帯端末１００は、窓領域１０５Ａの設定操作を受け付けると、窓領域１０５Ａの位置を記憶する。
【００３０】
ステップ（Ｄ）において、携帯端末１００は、カバー２００の閉状態において、表示部１０５の表示領域内における窓領域１０５Ａ以外の非窓領域１０５Ｂの輝度を、窓領域１０５Ａの輝度よりも下げる。
【００３１】
このように、携帯端末１００は、カバー２００の閉状態時に窓領域１０５Ａの設定操作を受け付け、非窓領域１０５Ｂの輝度を窓領域１０５Ａの輝度よりも下げる。これにより、携帯端末１００は、装着されるカバーの種類に依存せずに表示電力を抑制することができる。また、ユーザは、カバー２００が閉じられた状態であっても、窓領域１０５Ａにおける表示内容を確認したり、窓領域１０５Ａに対してタッチ操作を行ったりすることができる。
【００３２】
窓領域１０５Ａの設定後においては、携帯端末１００は、カバー２００の閉状態を検知する度に、非窓領域１０５Ｂの輝度を窓領域１０５Ａの輝度よりも下げる。このとき、好ましくは、携帯端末１００は、非窓領域１０５Ｂにおける輝度をゼロにする。非窓領域１０５Ｂが消灯されることにより、表示電力がさらに抑制される。このように、ユーザは、窓領域１０５Ａの設定後には、窓領域１０５Ａを再度設定する必要はない。
【００３３】
なお、図１には窓領域１０５Ａが矩形である例が示されているが、窓領域１０５Ａは、矩形に限定されない。たとえば、窓領域１０５Ａは、円形、楕円形、多角形、またはその他の閉形状であってもよい。円形の窓領域１０５Ａを設定するための操作例として、携帯端末１００は、表示部１０５の一点の長押し操作を検知し、当該一点を中心とする予め定められた範囲を窓領域１０５Ａとして検知する。
【００３４】
また、図１には、窓領域１０５Ａが１つだけ設定される例が示されているが、携帯端末１００は、複数の窓領域１０５Ａの設定を受け付けてもよい。
【００３５】
［携帯端末１００の機能構成］
図２を参照して、携帯端末１００の機能について説明する。図２は、携帯端末１００の機能構成の一例を示す図である。
【００３６】
図２に示されるように、携帯端末１００は、ハードウェア構成として、ＣＰＵ（Central  Processing  Unit）１０２と、ＲＡＭ（Random  Access  Memory）１０３とを備える。ＣＰＵ１０２は、機能構成として、検知部１５０と、受付部１５５と、表示制御部１６０とを含む。
【００３７】
検知部１５０は、カバー２００（図１参照）の閉状態を検知する。閉状態の検知方法としては、様々な検知方法が採用され得る。一例として、検知部１５０は、後述する磁気センサ１０７からの出力値に基づいてカバー２００の閉状態を検知する。より具体的には、携帯端末１００およびカバー２００にはそれぞれ磁石が設けられており、カバー２００が閉じられた状態で互いの磁石は接触する。磁気センサ１０７の出力値は、磁石同士の接触により生じる磁気の変化に応じて変化する。検知部１５０は、磁気センサ１０７の出力値が一定時間内に所定量以上変化した場合に、カバー２００の閉状態を検知する。
【００３８】
受付部１５５は、検知部１５０によってカバー２００の閉状態が検知されたことに基づいて、窓領域１０５Ａ（図１参照）の設定操作を受け付ける。好ましくは、受付部１５５は、カバー２００の閉状態が検知されてから予め定められた時間（たとえば、３０秒）が経過するまでの間に窓領域１０５Ａの設定操作を受け付け、当該予め定められた時間の経過後には、窓領域１０５Ａの設定操作を受け付けない。すなわち、窓領域１０５Ａの設定操作は、カバー２００が閉じられてから予め定められた時間が経過するまでの間に許可される。受付部１５５は、設定された窓領域１０５Ａの範囲情報１０３ＡをＲＡＭ１０３に格納する。
【００３９】
表示制御部１６０は、カバー２００の閉状態時において、窓領域１０５Ａの範囲情報１０３Ａを参照し、表示部１０５内における窓領域１０５Ａの範囲と非窓領域１０５Ｂ（図１参照）の範囲とを特定し、非窓領域１０５Ｂの輝度を窓領域１０５Ａの輝度よりも下げる。
【００４０】
好ましくは、非窓領域１０５Ｂにおける輝度をゼロにする。すなわち、表示制御部１６０は、窓領域１０５Ａを点灯し、非窓領域１０５Ｂを消灯する。このとき、表示制御部１６０は、窓領域１０５Ａの位置やサイズに応じたコンテンツを窓領域１０５Ａに表示する。より具体的には、窓領域の位置やサイズと表示対象のコンテンツの種類とは、テーブルとして予め関連付けられている。表示対象のコンテンツは、たとえば、時計や画像などを含む。表示制御部１６０は、設定された窓領域１０５Ａのサイズおよび位置に対応付けられているコンテンツを特定し、当該コンテンツを窓領域１０５Ａに表示する。
【００４１】
なお、表示制御部１６０が窓領域１０５Ａを点灯し、非窓領域１０５Ｂを消灯するタイミングは、カバー２００の閉状態が検知されたタイミングに限定されない。たとえば、カバー２００の閉状態時において携帯端末１００の電源ボタンが押下されたタイミングで、表示制御部１６０は、窓領域１０５Ａを点灯し、非窓領域１０５Ｂを消灯してもよい。他にも、カバー２００の閉状態時において窓領域１０５Ａにおけるタッチ操作が検知されたタイミングで、表示制御部１６０は、窓領域１０５Ａを点灯し、非窓領域１０５Ｂを消灯してもよい。
【００４２】
好ましくは、表示制御部１６０は、窓領域１０５Ａを点灯してから所定時間（たとえば、１分）が経過した後に、窓領域１０５Ａを消灯する。これにより、表示電力がさらに抑制される。
【００４３】
［携帯端末１００の制御構造］
図３を参照して、携帯端末１００の制御構造について説明する。図３は、本実施の形態に従う制御処理を示すフローチャートである。図３の処理は、携帯端末１００のＣＰＵ１０２（図２参照）がプログラムを実行することにより実現される。他の局面において、処理の一部または全部が、回路素子またはその他のハードウェアによって実行されてもよい。
【００４４】
ステップＳ１０において、ＣＰＵ１０２は、ドラッグイベントを受け付けたか否かを判断する。ドラッグイベントは、たとえば、ユーザが携帯端末１００の表示部１０５（図１参照）に対してタッチ操作を行ったことにより携帯端末１００のオペレーティングシステムから発せられる。ＣＰＵ１０２は、ドラッグイベントを受け付けたと判断した場合（ステップＳ１０においてＹＥＳ）、制御をステップＳ２０に切り替える。そうでない場合には（ステップＳ１０においてＮＯ）、ＣＰＵ１０２は、本実施の形態に従う制御処理を終了する。
【００４５】
ステップＳ２０において、ＣＰＵ１０２は、携帯端末１００の表示部１０５が消灯中であるか否かを判断する。ＣＰＵ１０２は、携帯端末１００の表示部１０５が消灯中であると判断した場合（ステップＳ２０においてＹＥＳ）、制御をステップＳ３０に切り替える。そうでない場合には（ステップＳ２０においてＮＯ）、ＣＰＵ１０２は、制御をステップＳ２２に切り替える。
【００４６】
ステップＳ２２において、ＣＰＵ１０２は、現在表示されているアプリケーションにドラッグイベントを通知する。
【００４７】
ステップＳ３０において、ＣＰＵ１０２は、検知部１５０（図２参照）として、携帯端末１００のカバーが閉状態であるか否かを判断する。ＣＰＵ１０２は、携帯端末１００のカバーが閉状態であると判断した場合（ステップＳ３０においてＹＥＳ）、制御をステップＳ４０に切り替える。そうでない場合には（ステップＳ３０においてＮＯ）、ＣＰＵ１０２は、制御をステップＳ６２に切り替える。
【００４８】
ステップＳ４０において、ＣＰＵ１０２は、携帯端末１００の表示部１０５を消灯してからの経過時間が所定時間内であるか否かを判断する。ＣＰＵ１０２は、当該経過時間が所定時間内であると判断した場合（ステップＳ４０においてＹＥＳ）、制御をステップＳ６３に切り替える。そうでない場合には（ステップＳ４０においてＮＯ）、ＣＰＵ１０２は、制御をステップＳ６２に切り替える。
【００４９】
ステップＳ６２において、ＣＰＵ１０２は、表示制御部１６０（図１参照）として、携帯端末１００の表示部１０５を点灯する。窓領域１０５Ａが設定されている場合には、ＣＰＵ１０２は、窓領域１０５Ａのみを点灯し、非窓領域１０５Ｂについては点灯しない。
【００５０】
ステップＳ６３において、ＣＰＵ１０２は、表示部１０５に対する領域の設定操作を受け付ける。
【００５１】
ステップＳ６４において、ＣＰＵ１０２は、ステップＳ６３で設定された領域を窓領域１０５ＡとしてＲＡＭ１０３（図２参照）に格納する。一例として、窓領域１０５Ａは、範囲情報１０３ＡとしてＲＡＭ１０３に格納される。ある局面において、範囲情報１０３Ａは、携帯端末１００の示領域内における窓領域１０５Ａの四隅のいずれかの座標値と、窓領域１０５ＡのＸ方向（すなわち、表示部１０５の横方向）の長さと、窓領域１０５ＡのＹ方向（すなわち、表示部１０５の楯方向）の長さとを含む。他の局面において、範囲情報１０３Ａは、窓領域１０５Ａの外形を表わす複数の座標値を含む。
【００５２】
ステップＳ６６において、ＣＰＵ１０２は、表示制御部１６０として、非窓領域１０５Ｂの輝度を窓領域１０５Ａの輝度よりも暗くする。好ましくは、ＣＰＵ１０２は、非窓領域１０５Ｂの輝度をゼロにする。すなわち、ＣＰＵ１０２は、非窓領域１０５Ｂを消灯する。
【００５３】
［携帯端末１００のハードウェア構成］
図４を参照して、携帯端末１００のハードウェア構成の一例について説明する。図４は、携帯端末１００の主要なハードウェア構成を示すブロック図である。図４に示されるように、携帯端末１００は、ＲＯＭ（Read  Only  Memory）１０１と、ＣＰＵ１０２と、ＲＡＭ１０３と、表示部１０５と、タッチパネル１０６と、磁気センサ１０７と、ネットワークインターフェイス１０８と、記憶装置１２０とを含む。
【００５４】
ＲＯＭ１０１は、携帯端末１００のオペレーティングシステムや点灯時間１０１Ａなどを格納する。点灯時間１０１Ａは、カバー２００の閉状態時において窓領域１０５Ａ（図１参照）を点灯する時間を規定している。カバー２００が閉じられてから点灯時間１０１Ａが経過したことに基づいて、窓領域１０５Ａにおける表示が消灯される。なお、点灯時間１０１Ａの格納場所は、ＲＯＭ１０１に限定されない。たとえば、点灯時間１０１Ａは、ＲＡＭ１０３、記憶装置１２０、携帯端末１００以外の他の通信端末などに格納されていてもよい。
【００５５】
ＣＰＵ１０２は、携帯端末１００のオペレーティングシステムや携帯端末１００の制御プログラム１２２などの各種プログラムを実行することで、携帯端末１００の動作を制御する。
【００５６】
ＲＡＭ１０３は、ワーキングメモリとして機能し、制御プログラム１２２の実行に必要な各種データを一時的に格納する。一時的に格納されるデータは、たとえば、窓領域１０５Ａの範囲情報１０３Ａを含む。窓領域１０５Ａの範囲情報１０３Ａは、制御プログラム１２２の実行時に記憶装置１２０などから読み出され、ＲＡＭ１０３に書き込まれる。なお、範囲情報１０３Ａの格納場所は、ＲＡＭ１０３に限定されない。たとえば、範囲情報１０３Ａは、ＲＯＭ１０１、記憶装置１２０、携帯端末１００以外の他の通信端末などに格納されていてもよい。
【００５７】
表示部１０５は、タッチパネル１０６に重ねられている。これにより、携帯端末１００は、ユーザのタッチ操作を受け付けることができる。タッチパネル１０６は、ユーザによってタッチされた表示部１０５の位置を座標値としてＣＰＵ１０２に出力する。
【００５８】
磁気センサ１０７は、携帯端末１００の磁石１０７Ａの近傍に設けられている。磁気センサ１０７は、周囲の磁界の大きさを検知し、検知した磁界の大きさをＣＰＵ１０２に出力する。ＣＰＵ１０２は、カバー２００の磁石２２０が携帯端末１００の磁石１０７Ａに近付くと磁界の大きさが変化することを利用して、磁気センサ１０７からの出力値が所定値以上変化したことに基づいてカバー２００の閉状態を検知する。
【００５９】
ネットワークインターフェイス１０８は、アンテナ１０８Ａを介して、他の通信機器との間でデータを送受信する。他の通信機器は、たとえば、サーバ、その他の通信装置などを含む。携帯端末１００は、アンテナ１０８Ａを介して、本実施の形態に従う制御プログラム１２２をダウンロードできるように構成されてもよい。
【００６０】
記憶装置１２０は、たとえば、ｅＭＭＣ（Embedded  MultiMediaCard）などの記憶媒体である。一例として、記憶装置１２０は、本実施の形態に従う制御プログラム１２２を格納する。
【００６１】
なお、制御プログラム１２２は、単体のプログラムとしてではなく、任意のプログラムの一部に組み込まれて提供されてもよい。この場合、任意のプログラムと協働して本実施の形態に従う処理が実現される。このような一部のモジュールを含まないプログラムであっても、本実施の形態に従う携帯端末１００の趣旨を逸脱するものではない。さらに、本実施の形態に従う制御プログラム１２２によって提供される機能の一部または全部は、専用のハードウェアによって実現されてもよい。さらに、携帯端末１００とサーバとが協働して、本実施の形態に従う処理を実現するようにしてもよい。さらに、少なくとも１つのサーバが本実施の形態に従う処理を実現する、所謂クラウドサービスの形態で携帯端末１００が構成されてもよい。
【００６２】
［第１の実施の形態のまとめ］
以上のようにして、携帯端末１００は、カバー２００の閉状態時に窓領域１０５Ａの設定操作を受け付ける。携帯端末１００は、カバー２００の閉状態時において、窓領域１０５Ａを点灯し、非窓領域１０５Ｂを消灯する。これにより、携帯端末１００に装着されるカバーの種類に依存せずに消費電力を抑制することができる。また、カバー２００が閉状態であっても、ユーザは、窓領域１０５Ａにおける表示内容を確認したり、窓領域１０５Ａに対してタッチ操作を行ったりすることができる。
【００６３】
＜第２の実施の形態＞
［窓領域の設定機能］
第１の実施の形態に従う携帯端末１００は、窓領域１０５Ａの設定受付時において表示部１０５を消灯していた。これに対して、第２の実施の形態に従う携帯端末１００Ａは、窓領域１０５Ａの設定受付時において表示部１０５を点灯する。これにより、携帯端末１００Ａは、窓領域１０５Ａの設定受付時において、窓領域１０５Ａを設定可能であることを示す内容を表示部１０５に表示することができる。
【００６４】
図５は、携帯端末１００Ａに対する窓領域１０５Ａの設定操作の一例を時系列で示す図である。以下では、図５を参照して、第２の実施の形態における窓領域１０５Ａの設定処理について説明する。
【００６５】
ステップ（Ａ），（Ｂ）において、ユーザは、カバー２００を閉じたとする。このとき、携帯端末１００Ａは、表示部１０５を点灯し、窓領域１０５Ａを設定可能であることを示す内容（たとえば、メッセージや画像など）を表示部１０５に表示する。ステップ（Ｂ）の例では、「指で枠を描くとその部分だけを表示します」というメッセージが表示されている。
【００６６】
携帯端末１００Ａは、たとえば、窓領域１０５Ａを設定可能であることを示す複数の同一の内容を万遍なく表示部１０５に表示する。これにより、当該内容が開口部２１０において表示される可能性が高くなり、ユーザは、窓領域１０５Ａを設定できることを把握することができる。
【００６７】
開口部２１０を有さないカバーが携帯端末１００Ａに装着される場合には、ステップ（Ｂ）のように表示部１０５が点灯されると、電力が無駄に消費されることになる。そのため、好ましくは、携帯端末１００Ａは、カバー２００の開閉回数が予め定められた回数（たとえば、１０回）以上である場合には、カバー２００の閉状態時において表示部１０５を消灯する。当該予め定められた回数は、後述する開閉閾値１０１Ｂ（図９参照）に相当する。携帯端末１００Ａは、開閉回数に応じて表示を消灯または点灯することにより、電力が無駄に消費されることを防止することができる。
【００６８】
ステップ（Ｃ）において、携帯端末１００Ａは、表示部１０５の表示領域内で窓領域１０５Ａの設定操作を受け付ける。
【００６９】
ステップ（Ｄ）において、携帯端末１００Ａは、カバー２００の閉状態において、非窓領域１０５Ｂの輝度を窓領域１０５Ａの輝度よりも下げる。
【００７０】
［携帯端末１００Ａの機能構成］
図６を参照して、携帯端末１００Ａの機能について説明する。図６は、携帯端末１００Ａの機能構成の一例を示す図である。
【００７１】
図６に示されるように、携帯端末１００Ａは、ＣＰＵ１０２と、ＲＡＭ１０３とを備える。ＣＰＵ１０２は、機能構成として、検知部１５０と、受付部１５５と、表示制御部１６０と、カウント部１６５とを含む。検知部１５０および受付部１５５については図２で説明した通りであるので、それらの説明については繰り返さない。
【００７２】
カウント部１６５は、カバー２００の開閉回数をカウントする。当該開閉回数は、カバー２００が開かれた回数であってもよいし、カバー２００が閉じられた回数であってもよいし、カバー２００が開かれた回数とカバー２００が閉じられた回数との合計であってもよい。
【００７３】
ある局面において、カウント部１６５は、検知部１５０によってカバー２００の開状態が検知される度に、カバー２００の開閉回数１０３Ｂをカウントアップする。他の局面において、カウント部１６５は、検知部１５０によってカバー２００の閉状態が検知される度に、カバー２００の開閉回数１０３Ｂをカウントアップする。
【００７４】
開閉回数１０３Ｂは、所定のタイミングで初期化される。一例として、開閉回数１０３Ｂは、携帯端末１００Ａの電源がオンされたタイミング、または携帯端末１００Ａの電源がオフされたタイミングで初期化される。あるいは、開閉回数１０３Ｂは、予め定められた期間（たとえば、１か月）ごとに初期化される。あるいは、開閉回数１０３Ｂは、ユーザによる初期化操作時に初期化される。
【００７５】
表示制御部１６０は、開閉回数１０３Ｂが予め定められた回数未満である場合には窓領域１０５Ａの設定受付時において表示部１０５を点灯し、開閉回数１０３Ｂが予め定められた回数以上である場合には窓領域１０５Ａの設定受付時において表示部１０５を消灯する。これにより、開口部が設けられていないカバーが携帯端末１００Ａに装着された場合などに、電力が無駄に消費されることが抑制される。
【００７６】
また、表示制御部１６０は、カバー２００の閉状態が検知されてから予め定められた時間（たとえば、３０秒）が経過するまでの間においては、窓領域１０５Ａの設定受付時において表示部１０５を点灯し、当該予め定められた時間が経過した後においては、窓領域１０５Ａの設定受付時において表示部１０５を消灯する。これにより、窓領域１０５Ａの設定受付時における消費電力が抑制される。
【００７７】
［携帯端末１００Ａの制御構造］
図７および図８を参照して、携帯端末１００Ａの制御構造について説明する。図７は、窓領域１０５Ａの設定処理の前処理を示すフローチャートである。図８は、窓領域１０５Ａの設定処理の本処理を示すフローチャートである。図７および図８の処理は、携帯端末１００ＡのＣＰＵ１０２（図６参照）がプログラムを実行することにより実現される。他の局面において、処理の一部または全部が、回路素子またはその他のハードウェアによって実行されてもよい。
【００７８】
以下では、図７の前処理および図８の本処理について順に説明する。
（窓領域１０５Ａの設定処理の前処理）
ステップＳ１１０において、ＣＰＵ１０２は、検知部１５０（図６参照）として、カバー２００の閉状態を検知したか否かを判断する。ＣＰＵ１０２は、カバー２００の閉状態を検知したと判断した場合（ステップＳ１１０においてＹＥＳ）、制御をステップＳ１２０に切り替える。そうでない場合には（ステップＳ１１０においてＮＯ）、ＣＰＵ１０２は、本実施の形態に従う制御処理を終了する。
【００７９】
ステップＳ１２０において、ＣＰＵ１０２は、携帯端末１００Ａの表示部が点灯中であるか否かを判断する。ＣＰＵ１０２は、携帯端末１００Ａの表示部が点灯中であると判断した場合（ステップＳ１２０においてＹＥＳ）、制御をステップＳ１３０に切り替える。そうでない場合には（ステップＳ１２０においてＮＯ）、ＣＰＵ１０２は、本実施の形態に従う制御処理を終了する。
【００８０】
ステップＳ１３０において、ＣＰＵ１０２は、カバー２００の開閉回数１０３Ｂ（図６参照）が予め定められた回数以上であるか否かを判断する。ＣＰＵ１０２は、カバー２００の開閉回数１０３Ｂが予め定められた回数以上であると判断した場合（ステップＳ１３０においてＹＥＳ）、制御をステップＳ１３２に切り替える。そうでない場合には（ステップＳ１３０においてＮＯ）、ＣＰＵ１０２は、制御をステップＳ１３４に切り替える。
【００８１】
ステップＳ１３２において、ＣＰＵ１０２は、表示制御部１６０（図６参照）として、携帯端末１００Ａの表示部を消灯する。
【００８２】
ステップＳ１３４において、ＣＰＵ１０２は、カウント部１６５（図６参照）として、カバー２００の開閉回数１０３Ｂを１加算し、加算した結果をＲＡＭ１０３（図６参照）に書き込む。
【００８３】
ステップＳ１３６において、ＣＰＵ１０２は、表示制御部１６０として、窓領域が設定可能であることを示す内容を携帯端末１００Ａの表示部に表示する。窓領域が設定可能であることは、たとえば、メッセージや画像で示される。
【００８４】
（窓領域１０５Ａの設定処理の本処理）
次に、図８を参照して、窓領域１０５Ａの設定処理の本処理について説明する。なお、図８のステップＳ２０Ａ，Ｓ４０Ａ，Ｓ６２Ａ以外の処理は図３に示される各ステップと同じであるので、それらの処理については説明を繰り返さない。
【００８５】
ステップＳ２０Ａにおいて、ＣＰＵ１０２は、携帯端末１００Ａの表示部が点灯中であるか否かを判断する。ＣＰＵ１０２は、携帯端末１００Ａの表示部が点灯中であると判断した場合（ステップＳ２０においてＹＥＳ）、制御をステップＳ４０に切り替える。そうでない場合には（ステップＳ２０においてＮＯ）、ＣＰＵ１０２は、本実施の形態に従う制御処理を終了する。
【００８６】
ステップＳ４０Ａにおいて、ＣＰＵ１０２は、携帯端末１００の表示部１０５を点灯してからの経過時間が所定時間内であるか否かを判断する。ＣＰＵ１０２は、当該経過時間が所定時間内であると判断した場合（ステップＳ４０ＡにおいてＹＥＳ）、制御をステップＳ６３に切り替える。そうでない場合には（ステップＳ４０ＡにおいてＮＯ）、ＣＰＵ１０２は、制御をステップＳ６２Ａに切り替える。
【００８７】
ステップＳ６２Ａにおいて、ＣＰＵ１０２は、表示制御部１６０（図６参照）として、携帯端末１００Ａの表示部を消灯する。
【００８８】
［携帯端末１００Ａのハードウェア構成］
図９を参照して、携帯端末１００Ａのハードウェア構成の一例について説明する。図９は、携帯端末１００Ａの主要なハードウェア構成を示すブロック図である。
【００８９】
図９に示されるように、携帯端末１００Ａは、ＲＯＭ１０１と、ＣＰＵ１０２と、ＲＡＭ１０３と、表示部１０５と、タッチパネル１０６と、磁気センサ１０７と、ネットワークインターフェイス１０８と、記憶装置１２０とを含む。ＲＯＭ１０１およびＲＡＭ１０３以外の構成については図４で説明した通りであるので、それらの説明については繰り返さない。
【００９０】
ＲＯＭ１０１は、点灯時間１０１Ａや開閉閾値１０１Ｂなどを格納する。ＲＡＭ１０３は、窓領域１０５Ａの範囲情報１０３Ａやカバー２００の開閉回数１０３Ｂなどを格納する。ＣＰＵ１０２は、開閉回数１０３Ｂが開閉閾値１０１Ｂ未満である場合には窓領域１０５Ａの設定受付時において表示部１０５を点灯し、開閉回数１０３Ｂが開閉閾値１０１Ｂ以上である場合には窓領域１０５Ａの設定受付時において表示部１０５を消灯する。
【００９１】
なお、開閉閾値１０１Ｂの格納場所は、ＲＯＭ１０１に限定されない。たとえば、開閉閾値１０１Ｂは、ＲＡＭ１０３、記憶装置１２０、携帯端末１００Ａ以外の他の通信端末などに格納されていてもよい。また、開閉回数１０３Ｂの格納場所は、ＲＡＭ１０３に限定されない。たとえば、開閉回数１０３Ｂは、ＲＯＭ１０１、記憶装置１２０、携帯端末１００Ａ以外の他の通信端末などに格納されていてもよい。
【００９２】
［第２の実施の形態のまとめ］
以上のようにして、第２の実施の形態に従う携帯端末１００Ａは、カバー２００の開閉回数１０３Ｂが開閉閾値１０１Ｂ未満である場合には、窓領域１０５Ａの設定受付時において表示部１０５を点灯し、カバー２００の開閉回数１０３Ｂが開閉閾値１０１Ｂ以上である場合には、窓領域１０５Ａの設定受付時において表示部１０５を消灯する。これにより、開口部が設けられていないカバーが携帯端末１００Ａに装着された場合などに、電力が無駄に消費されることが抑制される。
【００９３】
今回開示された実施の形態は全ての点で例示であって制限的なものではないと考えられるべきである。本発明の範囲は上記した説明ではなくて特許請求の範囲によって示され、特許請求の範囲と均などの意味および範囲内での全ての変更が含まれることが意図される。
【符号の説明】
【００９４】
１００，１００Ａ  携帯端末、１０１  ＲＯＭ、１０１Ａ  点灯時間、１０１Ｂ  開閉閾値、１０２  ＣＰＵ、１０３  ＲＡＭ、１０３Ａ  範囲情報、１０３Ｂ  開閉回数、１０５  表示部、１０５Ａ  窓領域、１０５Ｂ  非窓領域、１０６  タッチパネル、１０７  磁気センサ、１０７Ａ，２２０  磁石、１０８  ネットワークインターフェイス、１０８Ａ  アンテナ、１２０  記憶装置、１２２  制御プログラム、１５０  検知部、１５５  受付部、１６０  表示制御部、１６５  カウント部、２００  カバー、２１０  開口部。
【図１】
2017092557.tif 000003
【図２】
2017092557.tif 000004
【図３】
2017092557.tif 000005
【図４】
2017092557.tif 000006
【図５】
2017092557.tif 000007
【図６】
2017092557.tif 000008
【図７】
2017092557.tif 000009
【図８】
2017092557.tif 000010
【図９】
2017092557.tif 000011